(57)【要約】      （修正有）【課題】多数備蓄する場合でも保管スペースが小さくて済み、汚物を下水道に流すこともポリ袋に溜めることもでき、汚物の臭いを抑えることができる災害時用ポータブルトイレを提供する。【解決手段】トイレ本体部２と、便座３と、ボウル４と、蓋６からなる災害時用ポータブルトイレ。トイレ本体部２は、下方に向けて拡がる輪郭を有する筒状部７、筒状部７の下端外周側に形成された下部フランジ８、及び筒状部７の上端内周側に形成された上部フランジ９を有し、上部フランジ９に環状の凹溝１２が形成されている。ボウル４は、周縁部１４に凹溝１２に嵌る下向きの突条１７を有し、汚物落下開口１６に菊型ゴム蓋５が固定されている。凹溝１２と突条１７の間に、汚物を溜めるポリ袋２２の袋口周縁部が挟持される。ポータブルトイレ１は、上下方向にスタッキングして保管することができる。【選択図】図２
2014136101.tif 000002
【特許請求の範囲】
【請求項１】
下方に向けて拡がる輪郭を有する筒状部、前記筒状部の下端外周側に形成された下部フランジ、及び前記筒状部の上端内周側に形成された上部フランジを有し、前記上部フランジに環状の溝が形成された中空のトイレ本体部と、周縁部に前記溝に嵌る下向きの突条を有し、前記上部フランジに支持されて前記筒状部の内部に配置されるボウルと、前記上部フランジ上に前記ボウルの周縁部を介して配置される環状の便座と、前記便座及びボウルとともに前記トイレ本体部の上部を覆う蓋からなることを特徴とするスタッキング可能な災害時用ポータブルトイレ。
【請求項２】
下方に向けて拡がる輪郭を有する筒状部、前記筒状部の下端外周側に形成された下部フランジ、及び前記筒状部の上端内周側に形成された上部フランジを有し、前記上部フランジに環状の溝が形成された中空のトイレ本体部と、前記溝に嵌りかつ前記溝から上部に突出するリング状の嵌入部材と、周縁部が前記上部フランジに支持されて前記トイレ本体部の内部に配置されるボウルと、前記上部フランジ上に前記ボウルの周縁部を介して配置される環状の便座と、前記便座及びボウルとともに前記トイレ本体部の上部を覆う蓋からなることを特徴とするスタッキング可能な災害時用ポータブルトイレ。
【請求項３】
さらに、前記トイレ本体部内にセットされるポリ袋を備え、前記ポリ袋はその袋口の周縁部が前記突条と溝の間に挟持されるものであることを特徴とする請求項１に記載されたスタッキング可能な災害時用ポータブルトイレ。
【請求項４】
さらに、前記トイレ本体部内にセットされるポリ袋を備え、前記ポリ袋はその袋口の周縁部が前記嵌入部材と溝の間に挟持されるものであることを特徴とする請求項２に記載されたスタッキング可能な災害時用ポータブルトイレ。
【請求項５】
前記ボウルの汚物落下開口に菊型ゴム蓋が設置されていることを特徴とする請求項１〜４のいずれかに記載されたスタッキング可能な災害時用ポータブルトイレ。
【請求項６】
前記トイレ本体部、便座及び蓋がプラスチックのブロー成形体からなり、前記ボウルがプラスチックの射出成形体からなることを特徴とする請求項１〜５のいずれかに記載されたスタッキング可能な災害時用ポータブルトイレ。
【請求項７】
前記トイレ本体部の下フランジに複数個の固定用穴が形成されていることを特徴とする請求項１〜６のいずれかに記載されたスタッキング可能な災害時用ポータブルトイレ。
【発明の詳細な説明】
【技術分野】
【０００１】
本発明は、大規模災害時等に、被災地の様々な場所に搬送及び設置されて被災者に供される災害時用ポータブルトイレに関する。
【背景技術】
【０００２】
地震や洪水等の大規模災害時には、被災地では屋内外の水洗トイレが使用できなくなることが多く、また帰宅困難者等が大量に発生する場合がある。このような場合、自治体等により防災公園等に仮設トイレが設置され、あるいは下水道のマンホールの上に直接ポータブルトイレが設置される。
しかし、仮設トイレは設置スペースや費用の点で大量に備蓄しておくことは難しく、便槽が満タンになると汲み取りをするまで使用できない。下水道のマンホールの上に設置するポータブルトイレは、下の下水道に水が流れていなければ、すぐに使用できなくなってしまう。
【０００３】
なお、不特定多数の人ではなく個人使用を想定したものと考えられるが、特許文献１〜３には、災害時等に使用し得るポータブルトイレが記載されている。これらはいずれも、汚物をポリ袋に溜めるようにしている。
【先行技術文献】
【特許文献】
【０００４】
【特許文献１】実用新案登録第３００５９７４号公報
【特許文献２】特開平１１−３２９４３号公報
【特許文献３】特開２００６−３３４３３７号公報
【発明の概要】
【発明が解決しようとする課題】
【０００５】
大規模災害を想定して、仮設トイレやポータブルトイレを備蓄する自治体等が増えているが、仮設トイレの備蓄数量はごく少なく、ポータブルトイレ（簡易トイレ）の備蓄数量も大規模災害時に想定される必要量に比べると圧倒的に不足している。備蓄数量が増えない原因の１つは、広い保管スペースの確保が難しいことである。
【０００６】
大規模災害時は１つのトイレを使用する人数が多く、１つのトイレあたりの汚物の発生量も多い。従って、ポータブルトイレを下水道のマンホールの上に設置し、次々発生する汚物を下水道の水とともに流すことは最適な対処方法である。ただし、下水道に水が流れていないとき、マンホールに汚物が堆積して、このトイレはすぐに使用できなくなる。
一方、特許文献１〜３に記載されたポータブルトイレのように、汚物をポリ袋に溜めるようにすれば、いっぱいになったときポリ袋を交換するだけでトイレを継続使用でき、汚物を周囲に飛散させることもない。ただし、ポリ袋に溜めた汚物を保管する必要がある。
【０００７】
また、大規模災害時は不特定多数の人がトイレを使用し、トイレの周辺で生活することを余儀なくされる人も多いことから、汚物のひどい臭いを抑えるなど、衛生環境に配慮する必要もある。
以上の点に鑑み、本発明は、多数備蓄する場合でも保管スペースが小さくて済み、汚物を下水道に流すこともポリ袋に溜めることもでき、さらに、汚物の臭いを抑えることができる災害時用ポータブルトイレを提供することを目的とする。
【課題を解決するための手段】
【０００８】
本発明に係る災害時用ポータブルトイレは、下方に向けて拡がる輪郭を有する筒状部、前記筒状部の下端外周側に形成された下部フランジ、及び前記筒状部の上端内周側に形成された上部フランジを有し、前記上部フランジに環状の溝が形成された中空のトイレ本体部と、周縁部に前記溝に嵌る下向きの突条を有し、前記上部フランジに支持されて前記トイレ本体部の内部に配置されるボウルと、前記上部フランジ上に前記ボウルの周縁部を介して配置される環状の便座と、前記便座及びボウルとともに前記トイレ本体部の上部を覆う蓋からなり、上下にスタッキング可能である。前記突条と溝の間にポリ袋の袋口の周縁部を挟持し、前記ポリ袋を前記トイレ本体部内にセットして便槽代わりに用いることができる。ポリ袋をセットしない場合、汚物はボウルの汚物落下開口から自然落下するのみである。
【０００９】
前記ポータブルトイレにおいて、前記ボウルに突条を設ける代わりに、前記溝に嵌りかつ前記溝から上部に突出するリング状の嵌入部材を設けることができる。この場合、ポリ袋を前記トイレ本体部内にセットするとき、前記嵌入部材と溝の間にポリ袋の袋口の周縁部を挟持することになる。
前記ボウルの汚物落下開口に、菊型ゴム蓋を設置することが望ましい。
前記トイレ本体部、便座及び蓋がプラスチックのブロー成形体からなり、前記ボウルがプラスチックの射出成形体からなることが望ましい。
前記トイレ本体部の下フランジに複数個の固定用穴が形成されていることが望ましい。
【発明の効果】
【００１０】
本発明に係るポータブルトイレは、上下方向にスタッキング可能であり、自治体等が多数備蓄する場合でも保管スペースが小さくて済む。
このポータブルトイレは、ポリ袋をセットせず、例えば水の流れのある下水道のマンホールの上や地面に掘った穴の上に設置することができる。前者の場合、汚物はマンホール内に落下し、下水道の水とともに流れるので、継続して多人数が利用できる。
このポータブルトイレは、必要に応じて、ポリ袋をトイレ本体部内にセットして、汚物をポリ袋に溜めるようにしてもよい。つまり、ポリ袋をセットして使用するか、セットしないで使用するか、適宜選択できる。ポリ袋は袋口の周縁部全周を溝と突条の間、又は溝と嵌入部材の間に挟持することにより、トイレ本体部内に安定してセットすることができる。この場合、ポータブルトイレは屋内外のどこにでも設置でき、いっぱいになったポリ袋を交換することで、継続して多人数が利用できる。
【００１１】
本発明に係るポータブルトイレは、トイレ本体部の上部を覆う蓋を有し、汚物の臭いが周囲に広がるのを抑えることができる。ボウルの汚物落下開口に菊型ゴム蓋を設置した場合、より有効に汚物の臭いを抑えることができる。
このポータブルトイレを構成するトイレ本体部、便座、及び蓋をプラスチックのブロー成形体とし、ボウルをプラスチックの射出成形体とした場合、それぞれのプラスチックの特性により、トイレ本体部、便座、及び蓋は経年劣化しにくく長年の保管に適し、ボウルは表面が平滑で汚物の流下を容易とする作用を有する。
トイレ本体部の下フランジに複数個の固定用穴を形成したとき、何らかの固定具により、このポータブルトイレをベニヤ板等の固定基板や地面に固定することができ、安定して使用できるようになる。
【図面の簡単な説明】
【００１２】
【図１】本発明に係るポータブルトイレ（蓋を開いた状態）の斜視図である。
【図２】図１のＡ−Ａ断面図（ただし蓋は閉じた状態）である。
【図３】マンホール上に設置したポータブルトイレの断面図である。
【図４】ポータブルトイレを覆うテントの斜視図である。
【図５】別のポータブルトイレの断面図である。
【図６】ポータブルトイレの保管状態を示す図である。
【発明を実施するための形態】
【００１３】
以下、図１〜図６を参照して、本発明に係るポータブルトイレについて説明する。
図１，２に示すポータブルトイレ１は、筒状のトイレ本体部２と、その上部に配置された環状の便座３と、トイレ本体部の内部に配置されたボウル４と、ボウル４の中央部の汚物落下開口に設置された菊型ゴム蓋５と、トイレ本体部の上部を覆う蓋６からなる。トイレ本体部２、便座３及び蓋６はプラスチックのブロー成形体からなり、ボウル４はプラスチックの射出成形体からなる。
【００１４】
ブロー成形体に使用するプラスチックは、押出機の環状ダイから押し出されたパリソンの形状を保つ必要から、本来的に分子量が大きく（例えば射出成形体に比べると桁違い）粘度の高いものが使用されるため、経年劣化しにくく、長期保管に有効である。一方、射出成形体に使用するプラスチックは、射出成形機のノズル先端から高圧で押し出したプラスチックを、金型のキャビティ内に一気に充填するため、本来的に分子量が小さく粘度の低いものが使用される。このため、経年劣化しやすいが、流動性の高いプラスチックが高圧で金型に充填されることから、射出成形体の表面は金型表面が精密に転写されて平滑であり、汚物が流下するボウル材として適する。また、ボウル４には大きい荷重が掛からないため、経年劣化しても使用に余り問題はない。
なお、高密度ポリエチレン（密度０．９４〜０．９７ｇ／ｃｍ３）の場合、グレード選定はＭＦＲ（メルトフローレイト）で行われ、ブロー成形用として、ＡＳＴＭ  Ｄ１２３８の規定に従って求めたＭＦＲ（１９０℃）が０．０３〜０．６ｇ／１０ｍｉｎのもの、射出成形用として、同じく５〜１３ｇ／１０ｍｉｎのものが用いられる。高密度ポリエチレンに限らず、ＭＦＲの値が低いものほど、一般的に分子量が多くなり、破断張力、衝撃強度、破壊時間、耐ストレスクラッキング性が優れ、経年劣化しにくい。
【００１５】
トイレ本体部２は、下方に向けて拡がる輪郭を有する筒状部７と、筒状部７の下端外周側に略水平に形成された環状の下部フランジ８と、筒状部７の上端内周側に略水平に形成された環状の上部フランジ９を有し、全体としてちょうどお椀を伏せたような形状をなす。下部フランジ８には、複数個の固定用穴１１が形成されている。上部フランジ９の幅方向略中央部に平面視で環状に閉じた凹溝１２が形成されている。
便座３は、断面が厚みの薄い略かまぼこ形をした環状の中空体であり、平面視の輪郭がトイレ本体部２の上部フランジ９の形状とほぼ重なる形状を有する。便座３は、後部がトイレ本体部２にヒンジ連結され、トイレ本体部２の上部フランジ９に対し上下揺動可能とされている。便座３の幅方向略中央部下面に、平面視で環状に閉じた小さい突条１３が形成されている。突条１３は、使用者が便座３に座ったとき、荷重を後述するボウル４の突条１７に集中させ、該突条１７を凹溝１２に押し込む作用を有する。
【００１６】
ボウル４は、略水平な環状の周縁部１４と下方内側にすり鉢状に傾斜した傾斜部１５からなり、傾斜部１５の中央部に汚物落下開口１６が形成されている。周縁部１４の中央部よりやや外寄りの下面に、前記凹溝１２に嵌入する環状の突条１７が形成されている。周縁部１４は、平面視の輪郭がトイレ本体部２の上部フランジ９の形状と大部分重なる形状を有し、その下面は突条１７を含めて、上部フランジ９の上面にほぼ面接触する。
菊型ゴム蓋５は、中央部から放射状に複数の切り込み１８が入った周知形状の菊型ゴム蓋である。菊型ゴム蓋５は、周囲がボウル４の傾斜部１５の下端部（汚物落下開口１６の周縁部）に固定され、臭いの上昇や汚物の跳ね返りを防止する。
【００１７】
蓋６は、天板１９と後部を除く周囲のフランジ２１からなり、後部がトイレ本体部２にヒンジ連結されて開閉自在とされ、閉じたとき、便座３及びボウル４を含めて天板１９がトイレ本体部２の上部を覆い、かつフランジ２１が便座３の周囲をほぼ密着状態で覆い、トイレの内部空間を密閉する。
２２はポリ袋であり、図２の例ではポータブルトイレ１の一部をなす。ポリ袋２２は、蓋６を開き、便座３を上げ、ボウル４を取り外したうえで、トイレ本体部２の内部に装入され、その袋口の周縁部が上部フランジ９の上に広げられる。続いて、ボウル４を上部フランジ９の上に配置して突条１７の全周を凹溝１２に嵌入する。これによりポリ袋２２の袋口の周縁部全周が挟持され、ポリ袋２２がトイレ本体部２内にセットされる。続いて便座３を下ろす。
【００１８】
ポータブルトイレ１は、例えば地面２３上に設置される。この場合、必要に応じて、前記固定穴１１に例えば図示しないテント杭のような固定具を通し、地面２３に差し込んで固定する。また、屋内に設置することもできる。
一方、ポータブルトイレ１をマンホール２４の上に設置した例を、図３を参照して説明する。この例では、ポータブルトイレ１は、前記固定穴１１を通して図示しない木ねじ等の固定具により例えばベニヤ板２５に固定され、ベニヤ板２５ごとマンホール２４の上に設置されている。また、この例ではポリ袋２２はセットされておらず、汚物はベニヤ板２５に開けた穴２６を通してマンホール２４内に落下する。ただし、ポリ袋２２をセットしてもよく、その場合は、満タンになったときポリ袋２２を回収してもよいし、ポリ袋２２の底を切り開いて、汚物をマンホール内に落下させることもできる。同様に、このポータブルトイレ１を、例えば地面に掘った穴の上に設置することもできる。
ポータブルトイレ１の周囲は、例えば図４に示すテント２７などで覆うとよい。
【００１９】
図５に、別のタイプのポータブルトイレ１Ａを示す。ポータブルトイレ１Ａは、次の３点でのみ、図２に示すポータブルトイレ１と異なる。１つ目は、ポータブルトイレ１のボウル４に形成されていた突条１７の代わりに、例えばゴムリング（パッキン）等からなる嵌入部材２８が、トイレ本体部２の上部フランジ９に形成された凹溝１２内に嵌入する点、２つ目は、ボウル４Ａの周縁部１４Ａの幅がポータブルトイレ１のボウル４の周縁部１４の幅より狭く、前記凹溝１２より内周側に位置している点、３つ目は、便座３Ａの底面が平面とされている点である。
ポータブルトイレ１Ａにおいて、前記凹溝に嵌入した嵌入部材２８は、前記凹溝１２から上に突出し、その突出高さはボウル４Ａの周縁部１４Ａの板厚よりやや大きい。このため、使用者が便座３に座ったとき、嵌入部材２８は便座３の底面に押されて凹溝１２に押し込まれる。
【００２０】
図６にポータブルトイレ１Ａの保管形態（ポータブルトイレ１も同じ）の一例を示す。ポータブルトイレ１Ａ（ポータブルトイレ１も同じであるが）は、トイレ本体部２の筒状部７が下方に向けて拡がる輪郭を有し、下端部の下部フランジが外周側に形成されていることから、図６に示すように、上下に稠密にスタッキングできる。図６の例では、ケース２９内にスタッキングした状態で収容している。また、ボウル４Ａを取り外して、それだけ別途保管するようにすれば、より稠密にスタッキングできる。
これにより、自治体等で大量に備蓄しても、保管スペースは小さくて済む。また、ポータブルトイレ１，１Ａは、仮設トイレに比べて安価に製造できるため、大量に備蓄しても費用が少なくて済む。
【符号の説明】
【００２１】
１，１Ａ  ポータブルトイレ
２  トイレ本体部
３  便座
４  ボウル
５  菊型ゴム蓋
６  蓋
７  筒状部
８  下部フランジ
９  上部フランジ
１１  固定用穴
１２  凹溝
１７  突条
２２  ポリ袋
２８  嵌入部材
【図１】
2014136101.tif 000003
【図２】
2014136101.tif 000004
【図３】
2014136101.tif 000005
【図４】
2014136101.tif 000006
【図５】
2014136101.tif 000007
【図６】
2014136101.tif 000008